(57)【特許請求の範囲】
【請求項１】
外周に螺条１を設けた口部２を有する合成樹脂製の容器３；前記口部２の上部に、肩部４を介して形成された、前記口部２より小径で、外側に上下方向の主係止部５を有する開口部６；該開口部６に装着された、前記開口部６の内側に圧接する内筒７と、前記主係止部５と圧接係合する主係合部８を有し、かつ外側に副係止部９を有する中筒１０が環状の端壁１１により一体に形成された合成樹脂製の基台１２；該基台１２に、基端部１３を一体的に形成して立接させられた合成樹脂製の蛇腹体１４；該蛇腹体１４の上端部に一体に形成された、注口１５を有する注出筒１６；前記螺条１に螺合する螺溝１７、及び前記副係止部９と係合する副係合部１８を有する外筒１９と、前記注出筒１６に接する筒状の中足２０を有する頂壁２１により形成された合成樹脂製の外蓋２２；から成る蛇腹注出口付容器であって、
前記蛇腹体１４が前記外蓋２２内に収容され、かつ、前記基台１２の副係止部９が前記外筒１９の副係合部１８と係合している状態で、該外蓋２２を前記容器３の螺条１に螺合させて該基台１２を該容器３の開口部６に圧入装着することを特徴とする蛇腹注出口付容器。
【請求項２】
基台１２と蛇腹体１４の基端部１３は付着により一体的に形成されている請求項１記載の蛇腹注出口付容器。
【請求項３】
基台１２と蛇腹体１４の基端部１３は一体に成型されている請求項１記載の蛇腹注出口付容器
【発明の詳細な説明】
【０００１】
【産業上の利用分野】
この発明は各種洗浄剤等及びその他の液体を収容する蛇腹注出口付容器に関するものである。
【０００２】
【従来の技術】
従来、蛇腹注出口付容器については図５に示すようなものが知られている。
同図において５１は容器であり、その口部５２の上端部５３上にパッキン５４が配設され、その上に蛇腹体５５の台座５６が位置させられ、更にその上から前記口部５２に螺合した外筒５７の鍔部５８が位置させられており、同図より容易に理解されるように、前記口部５２と外筒５７の螺合により前記台座５６、パッキン５４は共に鍔部５８と前記口部５２の上端部５３間に圧接され、容器５１と蛇腹体５５は密接させられている。
なお５９は注口６０を有する注出部、６１は該注出部５９に螺合する蓋体、６２は蓋パッキンを示す。
【０００３】
【発明が解決しようとする課題】
しかし、前記従来の蛇腹注出口付容器は次のような難点を有している。それは、例えば上記従来の蛇腹注出口付容器に、便器の洗浄剤等を収容する場合に起るもので、上記洗浄剤は通常塩素系溶剤であり、このような溶剤が台座５６とパッキン５４の間、又はパッキン５４と口部５２の上端部５３間から洩出する恐れのあることである。
塩素系溶剤は皮膚との接触は有害であり危険のため、前記のような構造の螺合による圧接の形式は、何等かの理由によりごく僅かでも外筒が回動させられた場合、螺合が緩み上記のような有害な液体の洩出の恐れを有する。
【０００４】
この発明は上述のような問題を解決するためになされたもので、その目的は容器と蛇腹体との間からの内容液の洩出の恐れを殆どなくすことのできる、蛇腹注出口付容器を提供することである。
又他の目的は一般に蛇腹体は軸方向及び左右方向に剛性が殆どなく、従って機械的な保持が困難のため、容器への装着、組付けが面倒なものであるが、このような問題も解決して、蛇腹体の、容器への装着、即ち組付け製造の容易な蛇腹注出口付容器を提供することである。
【０００５】
上記の目的を達成するこの発明について述べるとそれは、
外周に螺条１を設けた口部２を有する合成樹脂製の容器３；前記口部２の上部に肩部４を介して形成された、前記口部２より小径で、外側に上下方向の主係止部５を有する開口部６；該開口部６に装着された、前記開口部６の内側に圧接する内筒７と、前記主係止部５と圧接係合する主係合部８を有し、かつ外側に副係止部９を有する中筒１０が環状の端壁１１により一体に形成された合成樹脂製の基台１２；該基台１２に、基端部１３を一体的に形成して立接させられた合成樹脂製の蛇腹体１４；該蛇腹体１４の上端部に一体に形成された、注口１５を有する注出筒１６；前記螺条１に螺合する螺溝１７、及び前記副係止部９と係合する副係合部１８を有する外筒１９と、前記注出筒１６に接する筒状の中足２０を有する頂壁２１により形成された合成樹脂製の外蓋２２；から成る蛇腹注出口付容器であって、前記蛇腹体１４が前記外蓋２２内に収容され、かつ、前記基台１２の副係止部９が前記外筒１９の副係合部１８と係合している状態で、該外蓋２２を前記容器３の螺条１に螺合させて該基台１２を該容器３の開口部６に圧入装着することを特徴とする蛇腹注出口付容器、である。
この発明の基台１２と蛇腹体１４の基端部１３は、付着により一体的に形成され
ていることを特徴とする。この発明の基台１２と蛇腹体１４の基端部１３は、一体に成型されていることを特徴とする。
【０００６】
【作用】
この発明は前記のように構成され、蛇腹体１４は基台１２に一体的に形成されており、かつ該基台１２はその内筒７が容器３の開口部６の内側に圧接しており、これによりこの部分の密閉がなされており、かつ基台１２の主係合部８が、開口部６の主係止部５に圧接係合しているため、基台１２は上方に移動できず、従って前記従来例のもののように、何等かの理由により基台１２が若干回動させられた場合でも、密閉はすこしも損われることがない。
【０００７】
又蛇腹体は剛性が極めて少いため、これを保持して機械的に容器への装着は困難であったが、この発明は前記のように構成され、基台１２に設けられた蛇腹体１４は、外蓋２２内に収容され、基台１２の副係止部９は外蓋２２の外筒１９内側の副係合部１８と係合し、かつ注出筒１６は外蓋２２の中足２０に接して半径方向及び上下方向にも安定して収容保持されており、この状態で、外蓋２２を容器３の螺条１に螺合させることにより、前記基台１２を容器３の開口部６に圧入でき、こうして外蓋２２を螺進させるだけで蛇腹体注出口を容器に装着することができる。
【０００８】
又、基台１２と蛇腹体１４の基端部１３が付着させられたものは、蛇腹体１４を曲げて注出方向を替える場合に、それにより蛇腹体１４基端部１３に力が加えられた場合にも、前記従来のもののように単に圧接させられているものと異り、同基端部１３からの内容液の洩出の恐れをなくすことができる。この作用は基台１２と蛇腹体１４の基端部１３を一体に成型したものも同様である。
【０００９】
又このように形成された蛇腹注出口付容器は、蛇腹体１４の方向を任意に変えることができるから、容器３の内容液を注出する方向を自由に選択することができる。例えばこれに便器の洗浄剤を収容して、便器の縁の裏側等を洗浄する場合に、蛇腹体１４を曲げさせてその方向に向かせ、容器を押圧して洗浄液を注出することができる。
しかもこの場合前記のような構成のため、洗浄剤が基台部分から洩出する恐れはないのである。
更に使用しない場合、前記蛇腹体１４の注出口は、外蓋２２内に縮小してコンパクトに収納することができる。
【００１０】
【実施例】
図１において３は容器であり、一例として合成樹脂製の瓶である。そして該容器３の口部２に螺条１が形成されている。６は前記口部２の上部に肩部４を介して一体に設けられた、前記口部２より小径の開口部であり、その外側に環状に、上下方向の係止部５が形成されている。
【００１１】
次に１２は合成樹脂製の基台であり、前記開口部６の内側に圧接する内筒７と、前記主係止部５に圧接して係合する主係合部８を有する中筒１０が、環状の端壁１１により一体に形成され、図示のように前記開口部６に、内側及び外側から圧接して装着されている。９は中筒１０の外側に設けられた突起状の副係止部である。又２４は前記開口部６の上端部であるが、同上端部２４も前記端壁１１の内面に圧接させられている。
【００１２】
次に１４は合成樹脂製の蛇腹体であり、ひだ部２５を有し、基端部１３はフランジ状に形成され、同基端部１３はそのフランジ状部を前記基台１２に一体的に形成されており、その一実施例として付着させらている。そしてこの付着は接着剤により接着されていてもよく、或は又高周波溶着、超音波溶着等により溶着させられていてもよい。
又その場合の付着は、図３に示すように、二重に折り曲げたフランジ状の基端部１３を用いてもよい。このように形成することにより、この部分の強度を高めることができる。
この部分の破損と内容液の洩出を防止できる。
又、前記基台１２と蛇腹体１４は、図４に示すように合成樹脂の一体成型によって成型されてもよい。
【００１３】
１６は前記蛇腹体１４の上端部に一体に形成された注出筒であり、その上端に突出した注口１５を有している。
次に、２２は合成樹脂製の外蓋であり、外筒１９と頂壁２１により形成され、前記外筒１９の内側に、前記口部２の螺条１と螺合する螺溝１７が形成され、かつ前記副係止部９と係合する副係合部１８を有して図示のように係合されている。又前記頂壁２１内面には筒条の中足２０が設けられ、該中足２０は前記注出筒１６の外側に密接し、密閉に役立っている。
又２６は前記中足２０内の、前記頂壁２１内面に設けられた突起状のインナーで、外蓋２２を前記容器３に装着した状態では、図１に示すように前記注口１５内に挿入され、同注口１５を密閉している。
【００１４】
こうして前記中足２０による密閉とインナー２６の密閉の両方により確実に密閉することができる。
次にこの発明は図４に示すように前記基台１２と蛇腹体１４は一体に形成されてもよい。これはインジェクション成型でまず基台１２を成形し、その後ブロー成型で蛇腹体１４を形成するのである。
このように形成されたこの蛇腹注出口付容器は、使用に際し外蓋２２を螺解して外し、蛇腹体１４を伸し、容器３を押圧し、内容液を注口１５から注出して使用する。そしてその場合、蛇腹体１４を曲げて、内容液の注出方向を変えることができる。
【００１５】
又基台１２に副係止部９を設けて、外蓋２２の副係止部１８に内側から係止させたことにより、蛇腹体１４を設けた基台１２を外蓋２２内に、離脱しないように保持させることができる。
【００１６】
【発明の効果】
この発明は前記のように構成され、蛇腹体１４は基台１２に一体的に設けられ、該基台１２の内筒７は容器３の解口部６の内側に圧接させられてあり、かつ注筒１０の主係合部８は、開口部６の主係止部５に上下方向に圧接係合しているため、前記従来例のもののように何等かの理由によりこの基台１２が若干回動されても、蛇腹体１４と基台１２間から、又は開口部６と内筒７間からの、内容液の洩出を防止することができる。又蛇腹体１４は軸方向、半径方向に剛性が弱く、機械的保持が困難なため、容器口部への装着が困難なものであっても、基台に一体的に設けられた蛇腹体１４は、基台１２の副係合部９を外蓋２２の副係止部１８に係止させて収容させたことにより容易に装着することができる。
【００１７】
又、蛇腹体１４を基台１２に付着させたものは、蛇腹体１４を曲げて注出方向を替える場合に、それにより蛇腹体１４基単部１３に力が加えられた場合にも、前記従来のもののように単に圧接させられているものと異り、同基端部１３からの内容液の洩出の恐れをなくすことができる。この作用は基台１２と蛇腹体１４の基端部１３を一体に成型したものも同様である。
【００１８】
又、蛇腹体１４の方向を任意に変えることができるから、容器３の内容液を注出する方向を自由に選択することができる。例えばこのように形成した容器に便器の洗浄剤を収容した場合、便器の縁の裏側等に、蛇腹体１４を曲げて差し向け、洗浄剤を注出できる。その場合容器３と基台１２の間、又は蛇腹体１４の間からの洗浄剤の洩出の恐れをなくすことができる。
【００１９】
なお２７はパッキンを示し、注口１５の閉止は、このパッキン２７で行われるが、前記中足２０の注出筒１６に対する密閉によっても行われる。即ち２重に密閉することができる。
前記基台１２に設けられた蛇腹体１４は、外蓋２２内に装着されていることにより、容器とその口部に嵌着される以前の取扱いにおいて蛇腹体１４を保護することができる。
【００２０】
更に使用しない場合、前記蛇腹体１４の注出口は、外蓋２２内に縮小してコンパクトに収納することができる。
【図面の簡単な説明】
【図１】この発明の実施例を示し、蛇腹注出口付容器の半断面図である。
【図２】図１に示す容器の図１と異る状態を示す部分断面図である。
【図３】この発明の他の実施例を示し、蛇腹注出口付容器の一部を省略して示した部分断面図である。
【図４】この発明の更に他の実施例を示し、蛇腹注出口付容器の部分の断面図である。
【図５】従来の蛇腹注出口付容器の断面図である。
【符号の説明】
１        螺条
２        口部
３        容器
４        肩部
５        主係止部
６        開口部
７        内筒
８        主係合部
９        副係止部
１０      中筒
１１      端壁
１２      基台
１３      基端部
１４      蛇腹体
１５      注口
１６      注出筒
１７      螺溝
１８      副係合部
１９      外筒
２０      中足
２１      頂壁
２２      外蓋
【図１】
0003567340.tif 000002
【図２】
0003567340.tif 000003
【図３】
0003567340.tif 000004
【図４】
0003567340.tif 000005
【図５】
0003567340.tif 000006